(57)【要約】【課題】複数の押圧式電子部品を設置しても部品点数が削減できて組み立てが容易で製造コストの低減化が図れる電子部品及び電子部品用揺動つまみ付きケースを提供する。【解決手段】ケース１１０内部に上下動自在に押釦つまみ８０を収納し、押釦つまみ８０の下側に押釦つまみ８０によって押圧されるスイッチを設置してなる第一の押圧式電子部品２００と、ケース１１０と一体にケース１１０の外周から突出するヒンジ部１２１，１２３及びヒンジ部１２１，１２３が撓むことで揺動する揺動つまみ１３０を設け、さらに揺動つまみ１３０の下側に揺動つまみ１３０によって押圧されるスイッチを設置してなる第二の押圧式電子部品３００とを具備する。ケース１１０とヒンジ部１２１，１２３と揺動つまみ１３０とは一体成形によって構成される。ケース１１０の表面を金属シボ面に、揺動つまみ１３０の表面を金属光沢面に形成する。【選択図】図１
2005183136.tif 000002
【特許請求の範囲】
【請求項１】
ケース内部に上下動自在に押釦つまみを収納し、押釦つまみの下側にこの押釦つまみによって押圧されるスイッチを設置してなる第一の押圧式電子部品と、
前記ケースと一体に前記ケースの外周から突出するヒンジ部及びヒンジ部が撓むことで揺動する揺動つまみを設け、さらに揺動つまみの下側にこの揺動つまみによって押圧されるスイッチを設置してなる第二の押圧式電子部品とを具備してなることを特徴とする電子部品。
【請求項２】
内部に押釦つまみを上下動自在に収納する開口を有するケースと、
ケースの外周から突出するヒンジ部と、
ヒンジ部に取り付けられヒンジ部が撓むことで揺動する揺動つまみとを一体成形によって構成してなる電子部品用揺動つまみ付きケースであって、
前記ケースの表面をシボ面状に、前記揺動つまみの表面を鏡面状に成形した上で、これら表面全体に金属蒸着を施すことで、前記ケースの表面を金属シボ面に、前記揺動つまみの表面を金属光沢面に形成したことを特徴とする電子部品用揺動つまみ付きケース。
【発明の詳細な説明】
【技術分野】
【０００１】
本発明は、多機能型の電子部品及び電子部品用揺動つまみ付きケースに関するものである。
【背景技術】
【０００２】
従来、複数の機能を有する多機能型の電子部品として、例えば押圧式スイッチ付き回転式電子部品がある。押圧式スイッチ付き回転式電子部品は、例えば特許文献１に示すように、回転つまみの中央に設けた開口部分に押釦つまみ（キートップ）を設置し、押釦つまみを押圧すれば押圧式スイッチがオンし、回転つまみを回転すれば回転式スイッチがオンするように構成されている。この種の押圧式スイッチ付き回転式電子部品は、例えば携帯用のデジタルカメラの主操作釦等として利用されており、回転つまみを回転することで主電源をオンオフし、また中央の押圧式スイッチを二段の押圧式スイッチで構成することで、一段目でカメラのピントを合わせ、二段目でシャッターを切るように使用する。
【０００３】
上記構造の押圧式スイッチ付き回転式電子部品は、複数の機能の操作を一箇所に集中して設置できるという点では好適である。しかしながらこの押圧式スイッチ付き回転式電子部品が小型化されると、狭いスペースに多数の部品を集積して設置しなければならないので、構造が複雑になり、製造も煩雑となる。また主電源用の操作つまみとして回転つまみを用いると、これを回転しなければならないので、押釦つまみによる押圧だけの操作に比べて、その操作がしにくいという欠点もある。回転つまみの回転操作がしにくいという欠点は、押圧式スイッチ付き回転式電子部品が小型化されればされるほど大きくなる。
【０００４】
この問題を解決するには、主電源オンオフ用のスイッチとシャッター操作用のスイッチとを別々の場所に設置し、且つ両方のスイッチを何れも押圧式スイッチとすればよい。しかしながら両スイッチを別々の場所に設置すると、二つの押圧式スイッチをそれぞれ別々に独立して組み立てて設置することとなるので、部品の共用化ができず、部品点数が増加して製造コストが高くなってしまう。
【特許文献１】特開２００１−１８４９６７号公報
【発明の開示】
【発明が解決しようとする課題】
【０００５】
本発明は上述の点に鑑みてなされたものでありその目的は、複数のつまみを設置しても部品点数が削減できて組み立てが容易で製造コストの低減化が図れ、これらのことから小型化に容易に対応できる電子部品及び電子部品用揺動つまみ付きケースを提供することにある。
【課題を解決するための手段】
【０００６】
本願請求項１に記載の発明は、ケース内部に上下動自在に押釦つまみを収納し、押釦つまみの下側にこの押釦つまみによって押圧されるスイッチを設置してなる第一の押圧式電子部品と、前記ケースと一体に前記ケースの外周から突出するヒンジ部及びヒンジ部が撓むことで揺動する揺動つまみを設け、さらに揺動つまみの下側にこの揺動つまみによって押圧されるスイッチを設置してなる第二の押圧式電子部品とを具備してなることを特徴とする電子部品にある。
【０００７】
本願請求項２に記載の発明は、内部に押釦つまみを上下動自在に収納する開口を有するケースと、ケースの外周から突出するヒンジ部と、ヒンジ部に取り付けられヒンジ部が撓むことで揺動する揺動つまみとを一体成形によって構成してなる電子部品用揺動つまみ付きケースであって、前記ケースの表面をシボ面状に、前記揺動つまみの表面を鏡面状に成形した上で、これら表面全体に金属蒸着を施すことで、前記ケースの表面を金属シボ面に、前記揺動つまみの表面を金属光沢面に形成したことを特徴とする電子部品用揺動つまみ付きケースにある。
【発明の効果】
【０００８】
本願請求項１に記載の発明によれば、二つの押圧式電子部品によって電子部品を構成したので、二つの機能の一方の操作を回転つまみによって行なう場合に比べて両方の操作が何れも容易に行えるようになる。また第一の押圧式電子部品を構成するケースの外周から突出するヒンジ部及び揺動つまみをケースと一体の一部品として形成し、これらヒンジ部及び揺動つまみを第二の押圧式電子部品用の部品として利用したので、例え複数の押圧式電子部品を設置する構造であっても、部品点数を少なくでき、このためその組み立ても容易になって製造コストの低減化が図れる。従って例え複数の機能を何れも押圧式電子部品で構成しても、その小型化に容易に対応できる。
【０００９】
本願請求項２に記載の発明によれば、ケースの表面を金属シボ面に形成し、揺動つまみの表面を金属光沢面に形成したので、一つの金属膜形成工程によって、一体成形品である電子部品用揺動つまみ付きケースの表面に色彩上の差異を設けることができ、容易に多様な色彩表現を行うことができる。
【発明を実施するための最良の形態】
【００１０】
以下、本発明の実施形態を図面に基づいて詳細に説明する。図１は電子部品１の斜視図である。同図に示すように電子部品１は、ケース１１０内部に収納した押釦つまみ８０を押圧することで二段スイッチが順番にオンする構造の第一の押圧式電子部品２００と、ケース１１０の外周から突出するヒンジ部１２１，１２３の先端側に設けた揺動つまみ１３０を押圧することでオンする構造の第二の押圧式電子部品３００とを具備して構成されている。また図２は電子部品１の分解斜視図である。同図に示すように電子部品１は、取付部材１０の上に、押釦つまみ８０を取り付けたスイッチ板２０と、揺動つまみ付きケース１００とを取り付けて構成されている。以下各構成部品について説明する。
【００１１】
取付部材１０は、略円形の第一の押圧式電子部品載置部１１と、略矩形状の第二の押圧式電子部品載置部１５とを連結部１３によって連結した一枚の硬質板（具体的には金属板）によって構成されている。そしてその外周近傍の下記するケース１１０のケース固定部１１５に対向する位置と、下記する第一スイッチ基板部３１の各取付部２６（図３参照）に対向する位置と、下記する第三スイッチ基板部５５の各取付部５０に対向する位置には、それぞれ小孔からなる取付部１７，１８，１９が４つずつ設けられている。
【００１２】
図３はスイッチ板２０の展開斜視図である。同図に示すようにスイッチ板２０は、合成樹脂フイルム（例えばポリエチレンテレフタレートフイルム）製のフレキシブル基板から成る基板２１に、成形樹脂製の作動型物６０と、成形樹脂製の押釦つまみ８０と、弾性金属板をドーム形状に形成した三つの反転板（以下この実施形態では「クリック板」という）１０２，１０３，１０５とを取り付けて構成されている。ここで基板２１は、一対の略矩形状の基板部２３，２７によって構成される第一スイッチ基板部３１と、一対の略円形の基板部３５，３９によって構成される第二スイッチ基板部４３と、一対の略矩形状の基板部４７，５１によって構成される第三スイッチ基板部５５とを具備し、基板部２３，２７間を連結部２５によって連結し、基板部３５，３９間を連結部３７によって連結し、基板部４７，５１間を連結部４９によって連結し、また基板部２３，３５間を連結部３３によって連結し、基板部２３，４７間を連結部４５によって連結して構成されている。そしてそれぞれの基板部２３，２７，３５，３９，４７，５１の表面には一つずつ接点パターン２４，２８，３６，４０，４８，５２がスクリーン印刷や銅箔のエッチング等によって形成されている。ここで一対の接点パターン２４，２８が下記するスイッチ３２を構成し、一対の接点パターン３６，４０が下記するスイッチ４４を構成し、一対の接点パターン４８，５２が下記するスイッチ５６を構成する。また両基板部２３，２７の外周近傍の対応する四箇所と、両基板部３５，３９の外周近傍の対応する四箇所と、両基板部４７，５１の外周近傍の対応する四箇所とには、それぞれ小孔からなる取付部２６，３８，５０が設けられている。また基板部４７にはチップ型の電子部品（以下この実施形態では「発光素子」という）５３が図示しない固定手段によって設置・固定されており、また基板部５１の前記発光素子５３に対応する位置には開口部５４が設けられている。また基板部２３の外周からは前記各接点パターン２４，２８，３６，４０，４８，５２から引き出された回路パターン（図示せず）を外部に導き出すための引出部５７が取り付けられている。なお各基板部２３，２７，３５，３９，４７，５１及び引出部５７表面の接点パターン２４，２８，３６，４０，４８，５２を除く部分全体には絶縁性で接点パターン２４，２８，３６，４０，４８，５２の厚みより厚いスペーサ層（図示せず）が印刷によって形成されている。
【００１３】
次に作動型物６０は成形樹脂（例えばＡＢＳ樹脂）の一体成形品であり、リング状の基部６１と、基部６１の１８０°対向する部分にその両端を接続する略Ｓ字状の可撓性を有する１本のヒンジ部６３と、ヒンジ部６３の中央（基部６１の中心）に設けられその上下に突出する押圧部６５と、基部６１下面の前記基板部２３の各取付部２６に対向する位置にそれぞれ設けた４つの突起状の固定部６７とを具備して構成されている。
【００１４】
次に押釦つまみ８０（図３ではその下面を上向きに示している）は成形樹脂（例えばＡＢＳ樹脂）の一体成形品であり、略円板状のつまみ本体８１と、つまみ本体８１の下部外周から突出するつば部８３と、つまみ本体８１の下面の前記基板部３５の各取付部３８に対向する位置にそれぞれ設けた４つの突起状の固定部８５とを具備して構成されている。
【００１５】
図２に戻って、揺動つまみ付きケース１００は成形樹脂（例えばＡＢＳ樹脂）の一体成形品であり、略円筒状でその上面に前記押釦つまみ８０のつまみ本体８１を露出する円形の開口１０１を設けてなるケース１１０と、ケース１１０の外周から半径方向外側に向けて突出する連結基部１２０と、連結基部１２０の側辺からさらに突出するように取り付けられる二本のヒンジ部１２１，１２３と、両ヒンジ部１２１，１２３の先端側に取り付けられる揺動つまみ１３０と、両ヒンジ部１２１，１２３のそれぞれ外側に沿うように連結基部１２０の側辺から突出する略矩形状の固定部１２５，１２７とを具備して構成されている。ここでケース１１０はその内部空間に形成されるつまみ収納部１１１の内周面の上部にリング状で段状のつば部当接部１１３（図４参照）を設け、またその下辺の前記取付部材１０の取付部１７に対向する位置に突起状のケース固定部１１５を設けて構成されている。また二本のヒンジ部１２１，１２３は連結基部１２０よりもその厚みを薄くすることで十分な可撓性を有するように構成されている。また揺動つまみ１３０は柱状に形成され、揺動つまみ１３０の下部外周にはヒンジ部１２１，１２３の先端に連結されるつまみ取付部１３３が設けられ、また揺動つまみ１３０の下面には突起状の押圧部１３５が設けられている。また連結基部１２０及び固定部１２５，１２７下面の前記基板部４７，５１の各取付部５０に対向する位置には、それぞれ突起状の４つの揺動つまみ固定部１２９（図２では１つのみ示す）が設けられている。
【００１６】
そしてこの一体成型品である揺動つまみ付きケース１００の上面側の表面全体には、金属蒸着（この実施形態ではクロム蒸着）によって金属膜が施されているが、前記金属膜の状態は、揺動つまみ１３０の上面側の表面全体部分（即ちその上面と外周側面全体）のみを金属光沢面とし、それ以外の揺動つまみ付きケース１００の表面側全体の部分を金属シボ面（皮シボ面や梨地シボ面等）としている。ここで金属光沢面とは、その表面が滑らかで、これに当たる光を鏡のようにそのまま略全反射する金属膜表面をいい、また金属シボ面とは、その表面が細かい凹凸を有し、これに当たる光を乱反射する金属膜表面を言う。また前記押釦つまみ８０の上面側の表面全体（つまみ本体８１とつば部８３の上面側の表面全体）も、前記揺動つまみ１３０の表面と同様に、金属蒸着によって金属光沢面からなる金属膜が施されている。これら揺動つまみ付きケース１００上面側の表面全体と、押釦つまみ８０上面側の表面全体に施されている金属膜は前述のようにクロムであり、同一の金属色（この実施形態では銀色）である。
【００１７】
上記金属光沢面と金属シボ面からなる金属膜面の形成方法は、予め揺動つまみ付きケース１００を成形する金型のキャビティーの内側表面の内、揺動つまみ１３０の上面及び外周側面となる部分を滑らかな面つまり鏡面状に形成し、それ以外の部分全体を小さな凹凸からなるシボ面状に形成（例えば硬質粒子を吹き付けることによって形成。いわゆるサンドブラスト法等）しておき、成形後の揺動つまみ付きケース１００の表面に滑らかな面とシボ面とを形成した後、揺動つまみ付きケース１００の上面側の表面全体に金属蒸着（例えばスパッタ）を施すことで金属膜を形成する。これによって揺動つまみ１３０の上面と外周側面のみが金属光沢面となり、その他の上面側表面全体が金属シボ面となった揺動つまみ付きケース１００が形成される。つまり本発明においては、１つの成形品である揺動つまみ付きケース１００の表面に、同一色ではあるが、金属光沢面と金属シボ面からなる二種類の色彩感覚の表面装飾が行える。一方押釦つまみ８０についても同様に、予め押釦つまみ８０を成形する金型のキャビティーの内側表面の内のつまみ本体８１の上面及び外周側面及びつば部８３の上面となる部分を鏡面状に形成しておき、成形後の押釦つまみ８０のこれら部分の表面全体を鏡面状に形成した後、押釦つまみ８０の上面側表面全体に金属蒸着を施すことで金属膜を形成する。これによってその上面側表面全体を金属光沢面とした押釦つまみ８０が形成される。
【００１８】
次に前記電子部品１の組み立て方法を説明する。まず図３において、基板２１の三つの接点パターン２８，４０，５２の背面側に、それぞれクリック板１０２，１０３，１０５を取り付ける。次に基板部３９を基板部３５の上に折り返すことで重ね合わせ、次に基板部３５の下面側に押釦つまみ８０を配置することで、押釦つまみ８０の４つの固定部８５を両基板部３５，３９に設けた４つずつの取付部３８に挿入し、基板部３９の上面側に突出した固定部８５の先端を熱カシメによって潰し、これによって重ね合わせた両基板部３５，３９で構成される第二スイッチ基板部４３と押釦つまみ８０とを一体化する。一方基板部２７を基板部２３上に重ね合わせることで第一スイッチ基板部３１を構成し、また基板部５１を基板部４７上に重ね合わせることで第三スイッチ基板部５５を構成する。このとき第一スイッチ基板部３１においては前記スペーサ層によって所定の隙間を介して対向する一対の接点パターン２４，２８が二段目のスイッチ３２を構成し、また第二スイッチ基板部４３においては前記スペーサ層によって所定の隙間を介して対向する一対の接点パターン３６，４０が一段目のスイッチ４４を構成し、また第三スイッチ基板部５５においては前記スペーサ層によって所定の隙間を介して対向する一対の接点パターン４８，５２がスイッチ５６を構成する。
【００１９】
そしてさらに重ね合わせた第一スイッチ基板部３１の基板部２７の上に作動型物６０を載置し、このとき作動型物６０の下面から突出する４つの固定部６７を両基板部２３，２７に設けた４つずつの取付部２６に挿入し、さらにこの基板２１全体を図２に示す取付部材１０上に載置し、その際前記作動型物６０の４つの固定部６７を取付部材１０の４つの取付部１８に挿入し、取付部材１０の下面側に突出した固定部６７の各先端を熱カシメによって潰して固定する。そして前記押釦つまみ８０を取り付けた第二スイッチ基板部４３を作動型物６０の上部に折り返す。これによって図２に示す取付部材１０の上にスイッチ板２０が載置・固定された状態となる。
【００２０】
そしてスイッチ板２０の上に揺動つまみ付きケース１００を被せるように載置することで、ケース１１０のつまみ収納部１１１内に押釦つまみ８０を収納し、ケース１１０の開口１０１から押釦つまみ８０の上面を露出し、同時に揺動つまみ付きケース１００の下面に設けた４つのケース固定部１１５をそれぞれ取付部材１０の４つの取付部１７に挿入し、また４つの揺動つまみ固定部１２９を基板部４７，５１に設けた４つずつの取付部５０と取付部材１０の取付部１９に挿入し、取付部材１０の下面側に突出したケース固定部１１５と揺動つまみ固定部１２９とを熱カシメすることで、取付部材１０とスイッチ板２０と揺動つまみ付きケース１００とを一体に固定し、これによって図１に示す電子部品１が完成する。
【００２１】
なお図１において、ケース１１０の部分及び揺動つまみ１３０の部分以外、具体的には連結基部１２０、ヒンジ部１２１，１２３、固定部１２５，１２７、つまみ取付部１３３の部分は別途図示しない外装ケースによって覆われる。従って外装ケースの表面に露出するのはケース１１０と押釦つまみ８０の表面と揺動つまみ１３０の表面だけである。そしてこの実施形態においては、つまみ本体８１表面と揺動つまみ１３０表面は金属光沢面、ケース１１０表面は金属シボ面となっており、従って押釦つまみ８０及び揺動つまみ１３０とその周囲の部材との間に色彩上の差異を設けることができ、多様な色彩表現を行うことができる。
【００２２】
次に電子部品１の動作を説明する。図４は電子部品１の第一の押圧式電子部品２００部分の概略断面図である。同図に示すように第一の押圧式電子部品２００は、二段押圧式のスイッチであり、第一スイッチ基板部３１に形成した二段目のスイッチ３２の上に取り付けたクリック板１０２の上に、作動型物６０の押圧部６５と、下向きとしたクリック板１０３及び第二スイッチ基板部４３に形成した一段目のスイッチ４４と、押釦つまみ８０とを設置して構成されている。押釦つまみ８０はそのつば部８３がケース１１０内周面のつば部当接部１１３に当接することで、上方向への抜けが防止されている。
【００２３】
そして押釦つまみ８０を押圧すると、押圧部６５によってクリック板１０３が反転して一段目のスイッチ４４がオンし、さらに押釦つまみ８０を押圧すると、押圧部６５が下降することでクリック板１０２が反転して二段目のスイッチ３２がオンする。前記押釦つまみ８０への押圧を解除していけば、まずクリック板１０２が元の状態に自動復帰することで二段目のスイッチ３２がオフし、さらにクリック板１０３が元の状態に自動復帰することで一段目のスイッチ４４がオフする。なおクリック板１０２，１０３の反転時の押圧力を変更することで、押釦つまみ８０を押圧したときに、クリック板１０３よりもクリック板１０２の方を先に反転させることもできる。
【００２４】
一方図１において、揺動つまみ１３０を押圧すると、ヒンジ部１２１，１２３が撓むことによって揺動つまみ１３０が下降し、その押圧部１３５（図２参照）がクリック板１０５を反転し、スイッチ５６をオンする。揺動つまみ１３０への押圧を解除すればクリック板１０５が元の状態に自動復帰することでスイッチ５６がオフする。
【００２５】
つまり第一の押圧式電子部品２００及び第二の押圧式電子部品３００の何れも押釦つまみ８０及び揺動つまみ１３０を押圧することでスイッチ操作を行うので、一方のスイッチ操作を回転つまみによって行なう従来例に比べて両方の操作が何れも容易に行えるようになる。
【００２６】
また第一の押圧式電子部品２００を構成するケース１１０の外周から突出するヒンジ部１２１，１２３及び揺動つまみ１３０をケース１１０と一体の一部品として形成し、これらヒンジ部１２１，１２３及び揺動つまみ１３０を第二の押圧式電子部品３００用の部品として利用したので、例え複数の押圧式電子部品２００，３００を設置する構造であっても、部品点数を少なくでき、このためその組み立ても容易になって製造コストの低減化が図れる。従って例え複数の機能を何れも押圧式電子部品２００，３００で構成しても、その小型化に容易に対応できる。なお発光素子５３を点灯すれば、その上を覆う外装ケースをその下面側から明るく照らし出せる。
【００２７】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではケース１１０内部に収納するスイッチを多段式（二段式）の押圧式スイッチとしたが、一段式の押圧式スイッチで構成しても良い。要は押釦つまみの下側にこの押釦つまみによって押圧されるスイッチを設置してなる構造であれば良い。ヒンジ部１２１，１２３や揺動つまみ１３０の形状・構造も種々の変形が可能であることは言うまでもない。
【００２８】
また上記実施形態では一体成型品である揺動つまみ付きケース１００の表面の内のケース１１０の表面を金属シボ面に、揺動つまみ１３０の表面を金属光沢面に形成したが、金属シボ面及び金属光沢面とする部分は種々の変更が可能である。また上記実施形態では金属膜面を形成するのにスパッタによる蒸着を用いたが、他の物理的蒸着（ＰＶＤ、physical vapor deposition）（例えば真空蒸着やイオンビーム蒸着等）又は化学的蒸着（ＣＶＤ、chemical vapor deposition）（例えば熱ＣＶＤ法、プラズマＣＶＤ法、光ＣＶＤ法等）の方法を用いて形成しても良い。また上記実施形態では金属をクロムとしたが、他の各種金属でも良い。
【００２９】
また、スイッチを形成する基板はフレキシブル基板に限定されず、硬質基板等で構成してもよい。また第一スイッチ基板部３１と第二スイッチ基板部４３と第三スイッチ基板部５５は互いに連結されていなくてもよく、それぞれ別々のスイッチ基板部として構成してもよい。また上記実施形態では二枚のフレキシブル基板に設けた接点パターンを所定の間隔を介して対向することでスイッチを構成したが、その代わりに、一枚の基板上に設けた接点パターンの周囲に接続パターンを設け、この接続パターンにその外周が当接するようにドーム形状の弾性金属板からなる可動接点板（反転板）を取り付け、この可動接点板を押圧して反転させることでその中央を接点パターンに当接することで接点パターンと前記接続パターン間を接続するようにしてなる構造のスイッチとしてもよい。
【図面の簡単な説明】
【００３０】
【図１】電子部品１の斜視図である。
【図２】電子部品１の分解斜視図である。
【図３】スイッチ板２０の展開斜視図である。
【図４】第一の押圧式電子部品２００部分の概略断面図である。
【符号の説明】
【００３１】
１  電子部品
１０  取付部材
２０  スイッチ板
２１  基板（フレキシブル基板）
２３，２７  基板部
２４，２８  接点パターン
３１  第一スイッチ基板部
３２  スイッチ
３５，３９  基板部
３６，４０  接点パターン
４３  第二スイッチ基板部
４４  スイッチ
４７，５１  基板部
４８，５２  接点パターン
５３  発光素子（チップ型の電子部品）
５５  第三スイッチ基板部
５６  スイッチ
６０  作動型物
６１  基部
６３  ヒンジ部
６５  押圧部
８０  押釦つまみ
８１  つまみ本体
８３  つば部
１００  揺動つまみ付きケース（電子部品用揺動つまみ付きケース、一体成形品）
１０１  開口
１０２，１０３，１０５  クリック板（反転板）
１１０  ケース
１１１  つまみ収納部
１２０  連結基部
１２１，１２３  ヒンジ部
１２５，１２７  固定部
１３０  揺動つまみ
１３３  つまみ取付部
１３５  押圧部
２００  第一の押圧式電子部品
３００  第二の押圧式電子部品
【図１】
2005183136.tif 000003
【図２】
2005183136.tif 000004
【図３】
2005183136.tif 000005
【図４】
2005183136.tif 000006